(57)【特許請求の範囲】
【請求項１】
表示手段を備える再生システムでハードコピー原本から複製画像を作成する方法であって、
ａ）初期画像パラメータ値で設定される画像パラメータに従って、前記再生システムの前記表示手段で予め決定されたデジタル画像を表示する段階と、
ｂ）前記初期画像パラメータ値を置換え、前記ハードコピー原本を特徴付けるためにユーザにより入力された画像パラメータ値を読み出す段階と、
ｃ）読み出された画像パラメータ値に従って前記予め決定されたデジタル画像を表示する段階と、
ｄ）前記初期画像パラメータ値を前記読み出された画像パラメータ値にマッピングする、画像パラメータの第一の変換を決定する段階と、
ｅ）前記第一の変換を反転することで、画像パラメータの第二の変換を決定する段階と、
ｆ）前記ハードコピー原本をスキャンして、スキャンに基づく画像パラメータ値を得る段階と、
ｇ）前記第二の変換を前記スキャンに基づく画像パラメータ値に適用して、変換された画像パラメータ値を得る段階と、
ｈ）前記変換された画像パラメータ値を適用することで前記複製画像を作成する段階と、
を含む方法。
【請求項２】
前記ハードコピー原本は、第二のハードコピー原本から複製された第一のハードコピー原本であり、前記ｃ）段階に従って前記ユーザにより入力された前記読み出された画像パラメータ値は、前記第二のハードコピー原本を特徴付ける、
請求項１記載の方法。
【請求項３】
前記複製画像を作成する段階は、スキャンされたハードコピー原本を印刷する段階を含む、
請求項１又は２記載の方法。
【請求項４】
ハードコピー原本から複製画像を作成する再生システムであって、
前記ハードコピー原本をスキャニングするスキャナと、
初期画像パラメータ値で設定された画像パラメータに従って、予め決定されたデジタル画像の視覚表示を表示する表示手段と、
前記ハードコピー原本を特徴付ける画像パラメータ値を入力する入力手段と、
入力された画像パラメータ値を読み出し、読み出された画像パラメータ値を前記予め決定されたデジタル画像の視覚表示に適用し、前記初期画像パラメータ値を前記入力された画像パラメータ値にマッピングする画像パラメータの第一の変換を決定する制御手段と、を備え、
前記制御手段は、前記第一の変換を反転することによる画像パラメータの第二の変換を決定し、前記第二の変換を前記スキャナにより前記ハードコピー原本をスキャンすることから得られた画像パラメータ値に適用して、変換された画像パラメータ値を取得し、
前記再生手段は、前記変換された画像パラメータ値を適用することで前記複製画像を作成する、再生システム。
【請求項５】
前記再生手段は、プリントエンジンを備える、
請求項４記載の再生システム。
【発明の詳細な説明】
【技術分野】
【０００１】
本発明は、表示手段を備える再生システムでハードコピー原本から複製画像を作成する方法に関し、当該方法は、初期画像パラメータ値で設定される画像パラメータに従って再生システムの表示手段で予め決定されたデジタル画像を表示する段階及びユーザにより入力された画像パラメータ値を読み出す段階を含む。
【０００２】
また、本発明は、本発明に従う方法を実行するために適した再生システムに関する。
【背景技術】
【０００３】
例えば原本書類といったハードコピー原本をスキャンするためのスキャナを備える再生システムが知られている。係るスキャナは、ハードコピー原本のカラースキャンを生成するために使用することができるカラースキャナである場合がある。また、スキャナを備える再生システムは、ハードコピー原本のスキャンを印刷するプリントエンジンを備える場合がある。プリントエンジンは、ハードコピー原本のプリントを生成する。係る再生システムは、表示する表示手段及びハードコピー原本の再生のための再生システムを準備する入力手段を備えるローカルユーザインタフェース又はリモートワークステーションを有する。複製画像は、スキャニング処理の生成物として定義される。この生成物は、再生システムのメモリにあるビットマップの多数のビットであるスキャンファイルの形式をとるか、又は受け手となるマテリアル上に再生システムにより印刷されるプリントアウトの形式をとる場合がある。複製画像は、カラーコピー画像である場合がある。
【０００４】
ハードコピー原本の再生について準備するステップは、例えば複製画像の明るさ、コントラスト及び色の調整といった画像パラメータを設定する。
【０００５】
複製画像を作成するとき、ハードコピー原本が未だスキャンされていないために、特にプレビューが利用可能でないとき、満足のいく複製画像を作成することは難しい。この困難さの理由は、ハードコピー原本が色に関連する問題を有する場合があり、スキャナは、ユーザがハードコピー原本をどのように見るかとは異なってハードコピー原本の色を知覚するか、又はプリンタは、正しく較正されていないことにある。ハードコピー原本の色に関連する問題は、例えば青過ぎる青空、人間の皮膚の色ではない人間の皮膚、緑過ぎる緑の草を示すハードコピー原本の検査で検出される場合がある。
【０００６】
典型的に、再生システムは、オペレータパネルを有しており、オペレータパネルを介して、ユーザは、色又はハードコピー原本の別の画像パラメータの値が所望の複製画像を得るためにどのように変更されるべきかを選択する必要がある。ユーザは、所望の複製画像の色を特徴付ける必要がある。これを行うことができるため、ユーザは、色彩理論に関して精通している必要がある。係る色の変更は、RGB領域において行われる場合があり、従って、インクのようなマーキングマテリアルの種類及びマーキングマテリアルの振る舞いのユーザの知識は、CMYK領域で表現されるので役に立たない。典型的に、ユーザには、初期画像パラメータ値で設定される画像パラメータに従って、例えばオペレータパネルといった表示手段で予め決定されたデジタル画像を表示することで複製画像がどのように見えるかを再生システムに示す方法が提供される。これら画像パラメータは、表示手段により可視化され、表示される。ユーザは、予め決定されたデジタル画像を所望の出力を示す画像に変えるため、これら初期画像パラメータ値を変える場合がある。これは、ハードコピー原本が良好な品質からなり、スキャナが良好に較正されており、且つプリントエンジンが印刷品質に関連する問題を有さない限り非常に有効である。しかし、ハードコピー原本は、色、コントラスト又は明るさに関して逸脱する場合がある。残念なことに、ハードコピー原本が完全なものから程遠く、且つ予め決定されたデジタル画像の画像パラメータ値が変化したとき、不完全なハードコピー原本のために、印刷されたときに複製画像がどのように見えるかは明らかでない。ユーザは、幾つかの試行錯誤の試みの後に、正しい画像パラメータ値のみを得る場合がある。従って、正しい画像パラメータ値を迅速に得ることは難しい。
【発明の概要】
【課題を解決するための手段】
【０００７】
本発明の目的は、質的に良好な複製画像をユーザが迅速に生成することができる方法を提供することにある。
【０００８】
本発明によれば、上記目的は、初期画像パラメータ値を置き換えるためにユーザにより入力された画像パラメータ値を読み取り、ハードコピー原本を特徴付けする段階、読み取られた画像パラメータ値に従って予め決定されたデジタル画像を表示する段階、前記画像パラメータの初期画像パラメータ値を読み取られた画像パラメータ値にマッピングする、画像パラメータの第一の変換を決定する段階、第一の変換を反転することで画像パラメータの第二の変換を決定する段階、ハードコピー原本をスキャニングしてスキャンに基づく（scan-bound）画像パラメータ値を得る段階、第二の変換をスキャンに基づく画像パラメータに適用して、変換された画像パラメータ値を得る段階、変換された画像パラメータ値を考慮することで複製画像を作成する段階、を含む本発明に係る方法により達成される。
【０００９】
そのようにすることで、ユーザには、画像パラメータ値を入力することでハードコピー原本を特徴付ける可能性が提供される。ユーザは、利用可能なハードコピー原本を有し、ハードコピー原本がどのように見えるかをシンプルに模倣することができる。第二の変換は、反転された第一の変換と同じであり、ハードコピー原本の乏しい品質にも係わらず再生されるべきハードコピー原本の画像パラメータの良好な開始ポイントを得るために適用される。本方法は、ハードコピー原本をスキャンファイルにスキャニングする段階とを含む。関与する再生システムは、スキャナを備える。本発明に従ってスキャンファイルを作成することで、スキャンに基づく画像パラメータが生成される。スキャンに基づく画像パラメータ値は、ハードコピー原本の乏しい品質に係わらず、質的に良好な複製画像の良好な開始ポイントである。ハードコピー原本はユーザにとって利用可能であり且つ従って模倣するのが容易であるので、複製画像は、１回で正しい。
【００１０】
再生システムがスキャナのみを備える場合、作成する段階は、再生システムのメモリにおけるデジタルデータファイルである複製画像を作成する。再生システムがスキャナ及びプリントエンジンを備える場合、作成する段階は、再生システムにおいて利用可能である受け手となるマテリアルでのプリントである複製画像を作成する。プリントは、スキャナの先行するスキャニングアクションから得られるスキャンファイルからのプリントエンジンにより作成される。
【００１１】
本発明の更なる目的は、プリントエンジンの問題にも係わらず、質的に良好な複製画像をユーザが迅速に生成することができる方法を提供することにある。
【００１２】
本発明によれば、更なる目的は、再生システムで第一のハードコピー原本から複製画像を作成する方法により達成され、当該方法は、第一のハードコピー原本を第二のハードコピー原本に複製する段階、初期画像パラメータ値で設定される画像パラメータに従って再生システムの表示手段で予め決定されたデジタル画像を表示する段階、初期画像パラメータ値を置換え、第二のハードコピー原本を特徴付けるため、ユーザにより入力された画像パラメータ値を読み出す段階、読み出された画像パラメータ値に従って予め決定されたデジタル画像を表示する段階、画像パラメータの初期画像パラメータ値を読み出された画像パラメータ値にマッピングする、画像パラメータの第一の変換を決定する段階、第一の変換を反転することで画像パラメータの第二の変換を決定する段階、第一のハードコピー原本をスキャニングしてスキャンに基づく画像パラメータ値を得る段階、第二の変換をスキャン値に適用して変換された画像パラメータ値を得る段階、変換された画像パラメータ値を考慮することで複製画像を作成する段階を含む。
【００１３】
第一のステップでは、第一のハードコピー原本から複製画像が作成され、第二のハードコピー原本が得られる。そのようにすることで、第二のハードコピー原本は、特定のプリントエンジンにより複製によりどの印刷品質が達成されるかをユーザに示す。次いで、類似のステップは、第一の実施の形態におけるように実行される場合がある。なお、読み取る段階において読み取られた画像パラメータ値は、第二のハードコピー原本を特徴付けする。なお、作成段階における最終的な複製画像は、第一のハードコピー原本から作成される。この方法は、ハードコピー原本の良好な品質にも係わらず、スキャナが十分なスキャン品質を伝達することにおいて問題を有するか又はプリントエンジンが十分な印刷品質を伝達することにおいて問題を有するときに特に有効である。スキャン品質及び印刷品質は、複製画像の色、明るさ及びコントラストの検査により決定される場合がある。
【００１４】
本発明に係る方法の実施の形態によれば、複製画像を作成する段階は、スキャニングされたハードコピー原本を印刷することを含む。関与する再生システムは、プリントエンジンを備える場合がある。本方法に従うスキャニング及びプリントにより、作成する段階は、プリントエンジンにより印刷する段階を含み、これにより、質的に良好な複製画像が得られる。
【００１５】
また、本発明は、ハードコピー原本から複製画像を作成する再生システムに関し、前記再生システムは、ハードコピー原本から複製画像を作成する再生手段を有し、再生手段は、ハードコピー原本をスキャニングするスキャナ、複製画像を形成するために再生手段を制御する制御手段、初期画像パラメータ値で設定された画像パラメータに従って予め決定されたデジタル画像の視覚表示を表示する表示手段、ハードコピー原本を特徴付けする画像パラメータ値を入力する入力手段を有し、前記制御手段は、入力された画像パラメータ値を読み取り、読み取られた画像パラメータ値を予め決定されたデジタル画像の視覚表示に適用し、初期画像パラメータ値を入力された画像パラメータ値にマッピングする、画像パラメータの第一の変換を決定し、制御手段は、第一の変換を反転することで第二のパラメータの第二の変換を決定し、第二の変換を、スキャナによりハードコピー原本をスキャニングすることから得られた画像パラメータ値に適用して、変換された画像パラメータ値を得る。再生手段は、変換された画像パラメータ値を考慮することで複製画像を作成する。
【００１６】
再生システムの実施の形態によれば、再生システムの再生手段は、プリントエンジンを備える。
【図面の簡単な説明】
【００１７】
本発明の好適な実施の形態は、添付図面と共に説明される。
【図１Ａ】複数の再生システムを備える環境の概略図である。
【図１Ｂ】別の再生システムを備える環境の概略図である。
【図１Ｃ】図１Ａ又は図１Ｂに係る再生システムの制御ユニットの概略図である。
【図２Ａ】作成される複製画像を特徴付けるために予め決定されたデジタル画像を調節する従来技術に係る表示手段で表示される概略画面を示す図である。
【図２Ｂ】ハードコピー原本を特徴付けするために予め決定されたデジタル画像を調節する本発明に係る概略画面を示す図である。
【図２Ｃ】複製画像を特徴付けするために第二の予め決定されたデジタル画像を調節するのと同様に、ハードコピー原本を特徴付けするために第一の予め決定されたデジタル画像を調節する本発明に係る概略画面を示す図である。
【図３】本発明に係る第一の方法の実施の形態のフローダイアグラムを概略的に示す図である。
【図４】本発明に係る第二の方法の実施の形態のフローダイアグラムを概略的に示す図である。
【発明を実施するための形態】
【００１８】
図１Ａは、ユーザワークステーション１１Ａ〜１１Ｃ（例えばPC）及び中央集約されたプリンティングファシリティ１３を含む汎用再生システムを示しており、ユーザワークステーション１１Ａ〜１１Ｃ（例えばPC）及び中央集約されたプリンティングファシリティ１３の全ては、ローカルエリアネットワーク又はInternetのようなネットワークＮにより接続される。中央集約されたプリンティングファシリティは、複数の再生装置１２Ａ〜１２Ｃ、及び、サーバのオペレーティングシステム又はPCの通常のオペレーティングシステムを含む場合があるワークステーション１５を含む。また、中央集約されたプリンティングファシリティは、ドキュメントデータベース１６を含むか、又はドキュメントデータベースとしての役割を果たす中央のデータベースファシリティに接続される場合がある。中央集約されたプリンティングファシリティにおける装置は、ローカルネットワーク１８により相互接続され、このローカルネットワークは、一般のネットワークの一部である場合がある。
【００１９】
動作において、ユーザは、それらのワークステーションに文書を準備し、結果として得られるドキュメントデータファイルを、印刷及びデータベース１６における記憶のために中央集約されたプリンティングファシリティに送出する。印刷のためのファイルは、サーバ１５により受信され、ユーザ又はオペレータの制御下で、プリンタ装置１２Ａ〜１２Ｃに転送される。
【００２０】
サーバ１５は、プログラムソフトウェアを実行し、従ってユーザにより送出されたドキュメントファイルに従ってプリントを生成するプリントジョブの印刷処理を編集及び指定するシステムを形成する。
【００２１】
それぞれ再生装置１２Ａ〜１２Ｃは、ローカルユーザインタフェース１７Ａ〜１７Ｃを有する。第一の再生装置１２Ａは、再生装置１２Ａの上に設けられるローカルユーザインタフェース１７Ａを備える。第二の再生装置１２は、再生装置１２Ｂのフロントパネルに統合されるローカルユーザインタフェース１７Ｂを備える。第三の再生装置１２Ｃは、再生装置１２Ｃの上に設けられたタッチスクリーンを有するローカルユーザインタフェース１７Ｃを備える。
【００２２】
あるプリントジョブが再生装置１２Ａ〜１２Ｃに到達し且つそのジョブがプリントされる準備がされたとき、プリントジョブの設定は、ローカルユーザインタフェース１７Ａ〜１７Ｃで表示される。以下、説明は、再生装置のローカルユーザインタフェースで表示されるプリントジョブの設定を想定する。しかし、例えば適切なプリントドライバのウィンドウといった、ネットワークＮに配置されたワークステーションでのプリントジョブの設定を示す実施の形態は、本発明の範囲から排除されない。
【００２３】
本発明に係る再生装置は、電子写真プリンタ、インクジェットプリンタ、又は何れか他の種類の再生装置である場合がある。再生装置の実施の形態は、受け手となるマテリアルのシートを使用する。再生装置の別の実施の形態は、受け手となるマテリアルのロールを使用する。受け手となるマテリアルは、紙、繊維、金属板、プリント回路板、太陽電池板、オーバヘッドシートマテリアル、プラスティック又は何れか他の種類の適切な受け手となるマテリアル又は基板である場合がある。再生装置は、フィニッシングオプションを有する場合がある。しかし、外部のフィニッシング機器のフィニッシングオプションは、プリントジョブを終了し、プリントジョブの送出者又はユーザの望みに従ってプリントジョブを伝達するためにプロダクションシステムに結合される場合がある。
【００２４】
図１Ｂは、再生システム１を備える環境の概略図である。ここで提示される再生システム１は、スキャニング装置２、プリンティング装置３及び制御ユニット４を備える。制御ユニット４は、ネットワーク８に接続される多数のクライアントコンピュータ９が再生システム１を利用するように、ネットワーク８に接続される。多数のクライアントコンピュータ９には、スキャニング装置２及びプリンティング装置３用のプリンタドライバが設けられている場合がある。プリンタドライバは、プリントジョブ又はスキャンジョブの設定を行い、プリントジョブ又はスキャンジョブを制御ユニット４に送出するために使用される場合がある。
【００２５】
スキャニング装置２は、画像を伝達するオブジェクトをスキャニングするために提供される。スキャニング装置２には、カラーイメージセンサ（すなわち光電気変換装置）が設けられる場合があり、カラーイメージセンサは、原色の赤（R）、緑（G）及び青（B）に対応する電気信号に反射された光を変換する。カラーイメージセンサは、例えばCCDタイプのセンサ又はCMOSタイプのセンサである場合がある。ローカルユーザインタフェースパネル５は、スキャン及びコピー処理を開始するために設けられる。
【００２６】
プリンティングユニット３は、画像を受けるメンバに画像を印刷するために設けられる。プリンティングユニットは、何れかの種類の印刷技術を使用する場合がある。プリンティングユニットは、インクジェットプリンタ、ペンプロッタ、又は例えば電子写真技術に基づくプレスシステムである場合がある。インクジェットプリンタは、例えばサーマルインクジェットプリンタ、圧電インクジェットプリンタ、連続式インクジェットプリンタ又はメタルジェットプリンタである場合がある。配置されるマーキングマテリアルは、インク又はメタルのような液体、或いはトナー製品である場合がある。図１Ｂによれば、印刷は、シアン、マゼンダ、イエロー及びブラックのような４つの異なる基本的なインクが提供されるワイドフォーマットインクジェットプリンタを使用して達成される。筐体は、画像の帯状の領域を印刷するキャリエージに搭載されるプリントヘッドを含む。画像は、ペーパーロールにより供給される１枚の紙のようなインクを受ける媒体に印刷される、ローカルユーザインタフェースパネル６には、ボタンのような入力手段が設けられる場合がある。
【００２７】
スキャニング装置及びプリンティング装置３の両者は、制御ユニット４に接続される。制御ユニット４は、スキャニング装置２から入力データを受けること、ネットワーク８を介して送出されるデータファイルの処理及びスケジュール、スキャニング装置２及びプリンティング装置３の制御、画像データの印刷可能なデータへの変換等のような様々なタスクを実行する。制御ユニット４には、タスクを実行し、設定を行うためのコマンドのメニューをオペレータに提供するため、ユーザインタフェースパネル７が設けられる。
【００２８】
制御ユニット４の実施の形態は、図１Ｃにおいてより詳細に提示される。図１Ｃに示されるように、制御ユニット４は、中央処理ユニット（CPU）４０、グラフィカルプロセッサユニット（GPU）４９、ランダムアクセスメモリ（RAM）４８、リードオンリメモリ（ROM）６０、ネットワークユニット４６、インタフェースユニット４７、ハードディスク（HD）５０、及びラスタイメージプロセッサ（RIP）のような画像処理ユニット５４を備える。上述されたユニット４０，４９，４８，６０，４６，４７，５０及び５４は、バスシステム４２を通して相互接続される。しかし、制御ユニット４は、分散された制御ユニットである場合もある。
【００２９】
CPU４０は、ROM６０に記憶されているか又はHD５０及びローカルユーザインタフェースパネル７で記憶されている制御プログラムに従って制御ユニット４のそれぞれの装置２，３を制御する。また、CPU４０は、画像処理ユニット５４及びGPU４９を制御する。
【００３０】
ROM６０は、CPU４０により読み取られて実行されるブートプログラム、セットアッププログラム、様々なセットアップデータ等のようなプログラム及びデータを記憶する。
【００３１】
ハードディスク５０は、後に特徴付けされるべき印刷処理をCPU４０に実行させるプログラム及びデータを記憶及び給仕する不揮発性ストレージユニットの例である。また、ハードディスク５０は、外部に送出されたプリントジョブのデータを給仕する領域を含む。HD５０のプログラム及びデータは、必要に応じてCPU４０によりRAM４８から読み取られる。RAM４８は、CPU４０によりROM６０及びHD５０から読み取られたプログラム及びデータを一時的に記憶する領域、及び様々な処理を実行するためにCPU４０により使用される作業領域を有する。インタフェースカード４７は、制御ユニット４をスキャニング装置２及びプリント装置３に接続する。
【００３２】
ネットワークカード４６は、制御ユニット４をネットワーク８に接続し、ワークステーション９及びネットワークを介して到達可能な他の装置との通信を提供するために設計される。
【００３３】
画像処理ユニット５４は、制御ユニット４のオペレーティングシステムで実行されるソフトウェアコンポーネントとして実現されるか、例えばフィールドプログラマブルゲートアレイ（FPGA）又は特定用途向け集積回路（ASIC）で実施されるファームウェアプログラムとして実現される場合がある。画像処理ユニット５４は、プリントジョブデータを読取、解釈及びラスタライズする機能を有する。前記プリントジョブデータは、印刷される画像データ（すなわちPage  Description  Language等で特徴付けされる、印刷される文書の内容を特徴付けするフォント及びグラフィックス）、画像処理の属性及び印刷設定を含む。
【００３４】
再生システムの動作の基本モードは、スキャニング、コピー及び印刷である。
【００３５】
スキャニングの間に取得される原色の赤（R）、緑（G）及び青（B）に対応する電気信号により、デジタル画像は、ラスタ画像ファイルの形式で作成される。ラスタ画像ファイルは、ピクセルと呼ばれる、規則的にサンプリングされた値のアレイとなるように定義される。それぞれの画素（ピクチャエレメント）は、画素が表示されるべき色又はグレイの色合いを指定する、その画素に関連付けされる少なくとも１つの値を有する。例えば、画像の表現は、それぞれの画素においてR，G及びBの量をそれぞれ定義する３つの８ビット（全体で24ビット）値（0から255の範囲をとる）により特定されるそれぞれの画素を有する場合がある。正しい割合において、R，G及びBは、黒、白、グレイの色合い、及び色のアレイを形成するために結合することができる。
【００３６】
スキャニング装置２により得られたデジタル画像は、制御ユニット４のメモリに記憶され、画像がプリント装置３により印刷されるコピーパスに従って処理される場合がある。代替的に、デジタル画像は、制御ユニット４からクライアントコンピュータ９に転送される場合がある（スキャン−ファイルパス）。クライアントコンピュータ９のユーザは、デジタル画像を印刷するのを決定し、これは、システムの動作のプリントモードを反映する。
【００３７】
従来技術に従う表示手段で典型的に表示される概略画面は、図２Ａで示される。表示手段は、ユーザインタフェースパネル７に位置されるか、画像パラメータを含むジョブ処理パラメータを設定するドライバのようなソフトウェアが提供されるリモートクライアントコンピュータに位置される場合がある。従来技術に従う概略画面は、作成される複製画像を特徴付けるために予め決定されたデジタル画像２０を示す。概略画面は、複製画像ジョブの全てのジョブ処理パラメータを設定するために前の画面を介して到達される場合がある。予め決定されたデジタル画像２０は、再生されるハードコピー原本とは完全に異なる場合がある。複製画像を特徴付けすることができるため、パネル２３の形式で複製画像の画像パラメータを入力する入力手段が利用可能である。パネル２３は、パネルが、それぞれの正方形が明るさインジケータを表す正方形の行、それぞれの正方形がコントラストインジケータを表す正方形の行、それぞれの正方形が異なる色インジケータを表す正方形のマトリクス２２を含む。マトリクスの左下隅における正方形２２は、例えば青色を表す。全ての色インジケータは、完全な離散的なカラースペクトルを互いに形成する。
【００３８】
はじめに、インジケータは、行の真中における値に設定され、マトリクスは、デフォルト値である。ユーザは、マトリクスにおけるそれぞれの行における正方形をアクチベートすることで、明るさインジケータ、コントラストインジケータ及び色インジケータを選択する。パネル２３は複製画像を特徴付けするために使用されるので、ユーザは、複製画像の所望の明るさ、コントラスト及び色をもつ明るさインジケータ、コントラストインジケータ及び色インジケータをパネル２３からどのように選択するかを理解する必要がある。予め決定されたデジタル画像２０は、インジケータの変更の結果をユーザに示すため、選択されたインジケータに従って適合される。
【００３９】
しかし、ハードコピー原本が乏しい色の品質からなるとき、パネル２３から適切な選択を行うことが困難になる。
【００４０】
再生システムの制御手段により、再生システムについて設定された対応する画像パラメータは、パネル２３により行われた変更に従って適合される。
【００４１】
図２Ｂは、ハードコピー原本（図示せず）を特徴付けるため、第一の予め決定されたデジタル画像２１を示す概略画面を示す。第一の予め決定されたデジタル画像２１は、再生されるべきハードコピー原本とは完全に異なる。予め決定された画像は、人間の皮膚、草、空及び雲のサブ画像を含む。係るサブ画像は、人間の目により色のずれを容易に認識するために適切であることが知られている。代替的な実施の形態では、予め決定された画像は、再生システムの制御ユニットのメモリに記憶される異なる画像の集合から、ユーザにより選択される。ハードコピー原本を特徴付けることができるため、再生システムは、ハードコピー原本の画像パラメータを入力する入力手段を備える。入力手段は、表示手段がタッチスクリーンであるか又は表示手段がマウスに接続されるとき、パネル２３の形式で構成される。パネル２３は、それぞれが明るさインジケータを表す正方形の行、それぞれがコントラストインジケータを表す正方形の行、それぞれが異なる色インジケータを表す正方形２２のマトリクスを含む。マトリクスの左下隅における正方形２２は、青色を表す。マトリクスの正方形２２は、人間の指により一意的に示すことができるように大きく設計されるので、正方形２２のマトリクスは、タッチスクリーンを組み合わせることが適切である。正方形２２における全ての色インジケータは、完全な離散的な色スペクトルを互いに形成する。はじめに、インジケータは、行及びマトリクスの中央における値に設定される。ユーザは、それぞれの行における正方形をアクチベートすることで、明るさインジケータ、コントラストインジケータを選択し、マトリクスにおける正方形をアクチベートすることで、色インジケータを選択する。
【００４２】
本発明によれば、パネル２３はハードコピー原本を特徴付けするために使用されるので、ユーザは、このハードコピー原本を見る必要があり、類似している明るさインジケータ、コントラストインジケータ及び色インジケータをパネル２３から選択することで、このハードコピー原本を思うままに比較的容易に模倣する。予め決定されたデジタル画像２１は、インジケータの変化の結果をユーザに示すため、選択されたインジケータに従って適合される。ハードコピー原本が青過ぎることを考える。その場合、ユーザは、マトリクスの左下隅における正方形２２を選択し、より青に着色されており、彼の思うままにハードコピー原本に類似している第一の予め決定されたデジタル画像２１を取得する。
【００４３】
離散的なカラーインジケータの代わりに、完全なカラースペクトルを形成する連続する色の正方形又は円が使用される場合があり、これら正方形又は円は、指、マウス又は他のアクチベートするツールによりクリックすることでアクチベートされる場合がある。
【００４４】
再生システムの制御手段により、再生システムについて設定された対応する画像パラメータは、パネル２３により行われた変化に従って適合される場合がある。複製画像の代わりにハードコピー原本が模倣されたので、適切な明るさインジケータ、適切なコントラストインジケータ及び適切な色インジケータのパネル２３により選択により、画像パラメータ値の変化となる。画像パラメータ値の変化は反転される。この逆のマッピングは、ハードコピー原本のスキャンから得られる画像パラメータ値に適用され、ハードコピー原本の再生の良好な開始ポイントである変換された画像パラメータ値となる。
【００４５】
図２Ｃは、図２Ｂの概略画面を更に示しているが、ユーザは複製画像を特徴付けするために予め決定されたデジタル画像２８を調節することができる。この概略画面は、図２Ｂにおける複製画像２５の下のボタン２４をアクチベートすることで得られる。この概略画面は、図２Ａにおける従来技術の画面に部分的に類似し、パネル２３における明るさ、コントラスト及び色を変えることでユーザが複製画像を特徴付けるのを可能にする。また、図２Ｃは、ハードコピー原本を特徴付ける予め決定されたデジタル画像２６を示す。
【００４６】
図２Ｃによれば、パネル２３は、複製画像を特徴付けする予め決定されたデジタル画像を変えるためにアクチベートされる。しかし、パネル２３は、予め決定されたデジタル画像２６の下のボタン２７をアクチベートすることで、ハードコピー原本を特徴付ける予め決定されたデジタル画像２６を変えるためにアクチベートされる場合がある。このように、ユーザは、ハードコピー原本を特徴付けることと複製画像を特徴付けることとの間で切り替える場合がある。パネル２３が従事している図２Ｂ〜図２Ｃの画像２１，２５，２６，２８を示すため、従事している画像２１，２８は、従事していない画像２５，２６よりも大きいサイズで表示される。便宜上の理由で、ハードコピー原本を特徴付けるアクションと複製画像を特徴付けるアクションは、１つの画面において結合される。しかし、これらのアクションのそれぞれ１つが個別の画面で表示される実施の形態も本発明の一部である。ハードコピー原本を特徴付けるアクションのみが表示される実施の形態も本発明の一部である。
【００４７】
図３は、本発明に係る第一の方法の実施の形態のフローダイアグラムを概略的に示す。本方法の第一のステップＳ３１０では、初期画像パラメータ値に従って予め決定された画像が表示される。
【００４８】
第二のステップＳ３２０では、初期画像パラメータを置換え、ハードコピー原本を特徴付けるためにユーザにより入力された画像パラメータ値が読み取られる。ユーザは、例えばパネル２３のようなパネルにおける適切なインジケータをアクチベートすることで、初期画像パラメータ値を変更する場合がある。ユーザの目標は、彼の思うままにハードコピー原本に予め決定された画像を類似させることである。第三のステップＳ３３０では、予め決定されたデジタル画像は、読み取られた画像パラメータ値に従って表示される。ユーザが初期画像パラメータ値を変更したとき、予め決定された画像は、これに応じて変更されて表示される。
【００４９】
第四のステップＳ３４０において、初期画像パラメータ値を読み取られた画像パラメータ値にマッピングする画像パラメータの第一の変換が決定される。
【００５０】
以下は、第一の変換の例である。明るさインジケータは、離散値-3，-2，-1，0，+1，+2，+3から選択される場合がある。コントラストインジケータは、離散値-3，-2，-1，0，+1，+2，+3から選択される場合がある。明るさインジケータは、0から+1まで変化する。コントラストインジケータは、0から-1まで変化する。色インジケータは、図２Ｂにおけるパネル２３の青の正方形２２を選択することで、RGBトリプル（255，255，255）とRGBトリプル（112，147，246）まで変化する。
【００５１】
明るさインジケータは、Ａとして示され、マッピングされた明るさインジケータは、Ａ’として示される。コントラストインジケータは、Ｃとして示され、マッピングされたコントラストインジケータは、Ｃ’として示される。色インジケータは、（R,G,B）として示され、マッピングされた色インジケータは、（R’,G’,B’）として示される。第一の変換は、以下のアーグメントによりＦとして示される。
【００５２】
【数１】
0005965989.tif 000002
ここで、A’=A+1，C’=C-1及び（R’,G’、B’）＝（R-143,G-108,B-9）である。
【００５３】
第五のステップＳ３５０では、第一の変換を反転することによる画像パラメータの第二の変換が決定される。第二の変換は、変更された値を初期画像パラメータ値にマッピングする。さらに、第二の変換は、反転された第一の変換Ｆである。第二の変換は、以下のアーグメントによりＧとして示される。
【００５４】
【数２】
0005965989.tif 000003
A’=A-1，C’=C+1及び（R’,G’、B’）＝（R+143,G+108,B+9）である。
【００５５】
第六のステップＳ３６０では、ハードコピー原本がスキャンされ、スキャナにより伝達される画像パラメータ値が得られる。画像パラメータは、明るさ、コントラスト及び色を特徴付ける。スキャナから得られる値は、入力画素値であり、それぞれの入力画素値は、画素の色、明るさ値及びコントラスト値を表す場合がある。スキャナから得られた値は、ハードコピー原本を表している。第七のステップＳ３７０では、スキャナから得られた値に第二の変換が適用され、変換された画像パラメータ値が得られる。入力画素値が（64,128,32）とすると、Ｇは、この入力画素値を変換された値（64+143,128+108,32+9）＝（207,236,41）にマッピングする。
【００５６】
第八のステップＳ３８０では、プリントエンジンと組み合わせて、スキャナにより複製画像が作成され、この作成する処理において、変換された画像パラメータ値が使用される。
【００５７】
図４は、本発明に係る第二の方法の実施の形態のフローダイアグラムを概略的に示す。この場合、第一のハードコピー原本の品質は完全であるが、例えばスキャナの誤ったキャリブレーションのために、スキャナから得られる値は、不正確である場合があるか、又はプリントエンジンは、幾つかの問題を有しており、第一のハードコピー原本からのプリントの乏しい印刷品質につながる。第一のハードコピー原本を複製し、前の実施の形態に係る方法を使用するとき、結果として得られる複製画像は、ユーザにとってなお許容可能でない。
【００５８】
従って、最初のステップＳ４００は、前の方法に追加される。最初のステップＳ４００では、第一のハードコピー原本は、第二のハードコピー原本に複製される。ステップＳ４１０〜Ｓ４８０は、図３のステップＳ３１０〜Ｓ３８０に対応する。実際には、ステップＳ３２０及びＳ４２０を除いて等しい。ステップＳ３２０によれば、初期画像パラメータ値は、予め決定された画像を第一のハードコピー原本に類似させるように変化されるのに対して、ステップＳ４２０によれば、初期画像パラメータ値は、予め決定された画像を第二のハードコピー原本に類似させるために変更される。第二のハードコピー原本は印刷品質の問題を有するプリントエンジンにより印刷されるので、第二のハードコピー原本は、プリントエンジンの問題を表す。画像パラメータ値を第二のハードコピー原本に類似するように変更させることで、第一の変換及び第二の変換は、これらのプリントエンジンの問題を考慮している。そのようにすることで、スキャナの問題及びプリントエンジンの問題にも関わらず、良好な印刷品質の複製画像が印刷される。
【図１Ａ】
0005965989.tif 000004
【図１Ｂ】
0005965989.tif 000005
【図１Ｃ】
0005965989.tif 000006
【図２Ａ】
0005965989.tif 000007
【図２Ｂ】
0005965989.tif 000008
【図２Ｃ】
0005965989.tif 000009
【図３】
0005965989.tif 000010
【図４】
0005965989.tif 000011